(57)【要約】【課題】  住宅のベランダなどにカラスやハトなどの鳥が侵入するのを防止することができるものであって、設置場所への雨の侵入を防止することができ、必要時には物干しとしての使用も可能な防鳥ネット具を提供する。【解決手段】  防鳥ネット具(A)は、伸縮調節可能で床と天井の間で突っ張って固定が可能な所要数の支柱(1,1a)と、固定された支柱(1,1a)に移動可能または開閉可能に取り付けられる防鳥ネット(2,2a)と、固定された支柱(1,1a)に移動可能または開閉可能に取り付けられる防水シート(3,3a)とを備えている。支柱(1,1a)には物干し竿(4)を掛けるための折り畳み式の支持アーム(10)が設けてある。防鳥ネット(2,2a)は、下部側を自由に動かすために下部または側部の一部または全部を固定しないよう構成されている。【選択図】        図１
2007043904.tif 000002
【特許請求の範囲】
【請求項１】
鳥の侵入を防止するための防鳥ネット具であって、
伸縮調節可能であり、上下に突っ張って固定が可能な所要数の支柱(1,1a)と、
固定された支柱(1,1a)に常設される防鳥ネット(2,2a)と、
固定された支柱(1,1a)に常設または必要時に選択的に設けられる防水シート(3,3a)と、
を備えていることを特徴とする、
防鳥ネット具。
【請求項２】
防水シート(3,3a)は複数からなり、必要時にはその数または取付箇所を適宜決めて設けることができるよう構成されていることを特徴とする、
請求項１記載の防鳥ネット具。
【請求項３】
支柱(1,1a)、防鳥ネット(2,2a)、防水シート(3,3a)は分解・組み立て可能であることを特徴とする、
請求項１または２記載の防鳥ネット具。
【請求項４】
支柱(1)に、物干しとしての機能性を有する部材(4)が設けてあるか、または物干しとしての機能性を有する部材を取り付けるための手段(10)が設けてあることを特徴とする、
請求項１、２または３記載の防鳥ネット具。
【請求項５】
防鳥ネット(2,2a)は、下部側を自由に動かすために下部または側部の一部または全部を固定しないよう構成されていることを特徴とする、
請求項１、２、３または４記載の防鳥ネット具。
【請求項６】
建築物における外へ開放された部分(9)に上下に突っ張って所要数の支柱(1,1a)が固定してあり、
各支柱(1,1a)には上記開放された部分(9)を本質的に覆うように防鳥ネット(2,2a)が常設されており、
各支柱(1,1a)には上記開放された部分(9)の全部または一部を覆うように防水シート(3,3a)が常設または選択的に設けられていることを特徴とする、
防鳥ネット構造体。
【請求項７】
支柱(1,1a)に、物干しとしての機能性を有する部材(4)が設けてあるか、または物干しとしての機能性を有する部材を取り付けるための手段(10)が設けてあることを特徴とする、
請求項６記載の防鳥ネット構造体。
【発明の詳細な説明】
【技術分野】
【０００１】
本発明は、防鳥ネット具及び防鳥ネット構造体に関するものである。更に詳しくは、住宅のベランダなどにカラスやハトなどの鳥が侵入することによる糞害を防止できるものであって、雨の侵入を防止することができ、必要に応じて物干しとしての使用も可能なものに関する。
【背景技術】
【０００２】
例えばマンションなどの集合住宅のベランダなど、外部へ開放された場所へのカラスやハトなど鳥の侵入による糞害は、外観的な汚染ばかりではない。むしろ、糞に含まれる細菌による人に対する健康上の被害が懸念されており、適切な対策が必要である。
【０００３】
この対策のために、従来から様々な方法が試みられており、その中でもネット（網）を張って鳥の侵入を防止するのが最も効果的とされている。しかし、ネットを張るには、それを取り付けるための支柱やレール、その他の金具類などを設置個所の床面や天井面などに固定しなければならないために、設置に相当な手間がかかるだけでなく、それらの面にネジをたてるなどして傷が付いてしまう。
【０００４】
このような課題に対処できるものとして、例えば特許文献１に記載された「防鳥ネットの張設構造」がある。この構造は、ベランダなど開放部両端の天井と床の間に伸縮固定可能な支柱複数本を設置し、ステンレス製のワイヤーを張設することができるように支柱の一方にワイヤーを組み込んだ巻上機を取り付け、他方の支柱にはワイヤーを固定するための円環を設け、各支柱間にワイヤーを張設し、ワイヤーに防鳥ネットを吊り下げ、開閉を自由に行うことができるようにしたものである。
【０００５】
【特許文献１】特開２００４−１９４５１０
【発明の開示】
【発明が解決しようとする課題】
【０００６】
しかしながら、特許文献１記載のものには、次のような課題があった。
まず、雨が降ったとき、特に吹き込む風があると雨の侵入をほとんど防ぐことができないので、ベランダなどが防鳥ネットを設けない場合と同じように雨ざらしになる。このため、支柱などの構成部が劣化して傷みやすく、急に雨が降り出した場合などは、干している洗濯物を濡らしてしまうことがある。
【０００７】
なお、ベランダに洗濯物を干すときには、通常はベランダに作り付けの物干しまたは設置型の物干しなど、別途用意したものを使用している。ところが、洗濯物が普通より多い場合など、その物干しで足りないときに、上記従来のものでは、干すところを増やすために支柱などの構成部分を物干しに利用するというような使い方は全くできない。
【０００８】
（本発明の目的）
本発明の目的は、住宅のベランダなどにカラスやハトなどの鳥が侵入するのを防止することができるものであって、設置場所への雨の侵入を防止することができる防鳥ネット具及び防鳥ネット構造体を提供することである。更に、必要時には物干しとしての使用も可能な防鳥ネット具及び防鳥ネット構造体を提供することである。
【課題を解決するための手段】
【０００９】
上記課題を解決するために本発明が講じた手段は次のとおりである。
第１の発明にあっては、
鳥の侵入を防止するための防鳥ネット具であって、
伸縮調節可能であり、上下に突っ張って固定が可能な所要数の支柱と、
固定された支柱に常設される防鳥ネットと、
固定された支柱に常設または必要時に選択的に設けられる防水シートと、
を備えていることを特徴とする、
防鳥ネット具である。
【００１０】
第２の発明にあっては、
防水シートは複数からなり、必要時にはその数または取付箇所を適宜決めて設けることができるよう構成されていることを特徴とする、
第１の発明に係る防鳥ネット具である。
【００１１】
第３の発明にあっては、
支柱、防鳥ネット、防水シートは分解・組み立て可能であることを特徴とする、
第１または第２の発明に係る防鳥ネット具である。
【００１２】
第４の発明にあっては、
支柱に、物干しとしての機能性を有する部材が設けてあるか、または物干しとしての機能性を有する部材を取り付けるための手段が設けてあることを特徴とする、
第１、第２または第３の発明に係る防鳥ネット具である。
【００１３】
第５の発明にあっては、
防鳥ネットは、下部側を自由に動かすために下部または側部の一部または全部を固定しないよう構成されていることを特徴とする、
第１、第２、第３または第４の発明に係る防鳥ネット具である。
【００１４】
第６の発明にあっては、
建築物における外へ開放された部分に上下に突っ張って所要数の支柱が固定してあり、
各支柱には上記開放された部分を本質的に覆うように防鳥ネットが常設されており、
各支柱には上記開放された部分の全部または一部を覆うように防水シートが常設または選択的に設けられていることを特徴とする、
防鳥ネット構造体である。
【００１５】
第７の発明にあっては、
支柱に、物干しとしての機能性を有する部材が設けてあるか、または物干しとしての機能性を有する部材を取り付けるための手段が設けてあることを特徴とする、
第６の発明に係る防鳥ネット構造体である。
【００１６】
防鳥ネットの網目の大きさは、対象となる鳥が侵入できなければ特に限定するものではなく、適宜設定が可能である。
防鳥ネットの材質も特に限定しないが、強度と耐候性にすぐれた合成樹脂が好ましい。また、外観を重視すれば、外から見て目立たない透明なものが好ましいが、有色のものでもよく、限定はしない。
【００１７】
防水シートは、例えば通液性を持たない合成樹脂製のシートでつくられる。なお、防水シートは、少なくとも雨の侵入を防止できればよいので、必ずしも完全な防水性能を有するものでなくとも、例えばきめの細かい合成樹脂糸でつくったネットやレースなども含む概念である。日除けの機能を持たせるためには、濃色のものが好ましい。また、紫外線を遮断する目的では、その機能性を有するものであれば淡色または透明、半透明なものを採用することもできる。
【００１８】
防鳥ネットと防水シートの支柱に対する取り付け構造は、例えば支柱に設けたフックや環体（ループ）に防鳥ネットや防水シートの上部に設けた係合具を掛ける構造の他、支柱間にレールやワイヤを配して、それらに防鳥ネットや防水シートの上部に設けた吊り具をスライド可能に掛ける構造などであるが、これらに限定するものではなく、他の構造を採用することもできる。
【００１９】
物干しとしての機能性を有する部材は、例えば、竿、フック、ハンガーあるいはそれらを複合したものなど公知の各物干しであるが、これらに限定するものではない。
また、物干しとしての機能性を有する部材を取り付けるための手段は、上記公知の各物干しを取り付けることができるものであれば特に限定しない。例えば折り畳みや高さの調節が可能で竿などを掛けるアーム、突起、フックあるいは孔や凹部などである。
なお、これら物干しとしての機能性を有する部材または物干しとしての機能性を有する部材を取り付けるための手段は、一本の支柱当たりに設けられる箇所（高さを含む）または数量について特に限定するものではなく、適宜設定が可能である。
【００２０】
防鳥ネットは、下部側を自由に動かすために下部または側部の一部または全部を固定しないようにしてもよい。例えば、防鳥ネットの上辺だけを支柱に固定してネット全体を下方へ垂らす構造の他、防鳥ネットの両側または片側の側部を一部止めて、ネットが動く範囲に制限を加えることもできる。なお、防鳥ネットは例えば外周部の全体を連続的または所要間隔で固定または取り付けることもできる。
【００２１】
（作用）
本発明に係る防鳥ネット具及び防鳥ネット構造体の作用を説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００２２】
固定する前の各支柱(1,1a)に防鳥ネット(2,2a)と防水シート(3,3a)を取り付ける。各支柱(1,1a)は防鳥ネット(2,2a)と防水シート(3,3a)によって繋がれたようになる。
各支柱(1,1a)を例えば床と天井の間で突っ張ってベランダ(9)などの設置場所の所要の箇所に固定する。このように防鳥ネット具(A)をベランダ(9)に取り付けることにより防鳥ネット構造体が構成される。これにより、ベランダ(9)などの開口部(93)は防鳥ネット(2,2a)で覆われて、カラスやハトなどの鳥はベランダ(9)の内部へ侵入することができない。
【００２３】
また、雨が降っても防水シート(3,3a)で止められるので、ベランダ(9)などが濡れることがなく、洗濯物を濡らしてしまう心配もない。防水シート(2,2a)が複数からなり、必要時にはその数または取付箇所を適宜決めて設けることができるよう構成されているものは、例えば洗濯物を干している場所に合わせて設けることで、必要十分な防水機能を発揮させながら、鬱陶しさを軽減し、通風性を向上させるなど、状況に応じた調節が可能になる。
【００２４】
なお、作業時の安全が十分に確保できれば、支柱(1,1a)を固定した後に防鳥ネット(2,2a)と防水シート(3,3a)を取り付けるようにしてもよい。
更には、引っ越しなどの際には、支柱(1,1a)、防鳥ネット(2,2a)、防水シート(3,3a)を取り外して分解することができるので、移設も可能である。一時的に不要になるなど保管する必要が生じたときにも嵩張らず、コンパクトにして保管することができる。
【００２５】
支柱(1)に、物干しとしての機能性を有する部材(4)が設けてあるか、または物干しとしての機能性を有する部材を取り付けるための手段(10)が設けてあるものは、例えば通常使用している物干しでは洗濯物を干す場所が足りないときに、支柱(1)に設けられる物干し(4)を利用して干すことができる。また、洗濯物の量が少ないときなどは、支柱(1)の物干し(4)だけを使用して干すこともできる。
【００２６】
防鳥ネット(2,2a)が、下部側を自由に動かすために下部または側部の一部または全部を固定しないよう構成されているものは、防鳥ネット(2,2a)を必要に応じてベランダ(9)の手摺り(95)外側に垂らすことができる。これによると、鳥はベランダ(9)の内側だけでなく、手摺り(95)の上面などに糞をすることもできない。また、防鳥ネット(2,2a)が固定されていないため風で揺れるので、鳥が止まりにくい。
【発明の効果】
【００２７】
（ａ）本発明によれば、例えば住宅のベランダなどに設置すれば、カラスやハトなどの鳥が侵入するのを防止することができる。また、防水シートにより設置場所への雨の侵入を防止することができるので、例えば突然の雨で洗濯物を濡らしてしまうこともない。更には、防水シートは鳥の糞が洗濯物など干したものを汚すのを防止することもできる。
【００２８】
（ｂ）防水シートは複数からなり、必要時にはその数または取付箇所を適宜決めて設けることができるよう構成されているものは、例えば洗濯物を干している場所に合わせて設けることで、必要十分な防水機能を発揮させながら、鬱陶しさを軽減し、通風性を向上させるなど、状況に応じた調節が可能になる。
【００２９】
（ｃ）支柱、防鳥ネット、防水シートは分解・組み立て可能であるものは、例えば引っ越しなどの際の移設が可能になる。また、例えば一時的に不要になるなど保管する必要が生じたときにも嵩張らず、コンパクトにして保管することができる。
【００３０】
（ｄ）支柱に、物干しとしての機能性を有する部材が設けてあるか、または物干しとしての機能性を有する部材を取り付けるための手段が設けてあるものは、例えば通常使用している物干しでは洗濯物を干す場所が足りないときに、支柱に設けられる物干しを利用して干すことができる。
【００３１】
（ｅ）防鳥ネットが下部側を自由に動かすために下部または側部の一部または全部を固定しないよう構成されているものは、防鳥ネットを必要に応じてベランダの手摺り外側に垂らすことができる。これによると、鳥はベランダの内側だけでなく、手摺りの上面などに糞をすることも防止できる。また、防鳥ネットが固定されていないため風で揺れるので、鳥が止まりにくく、忌避効果により優れる。
また、火事などの緊急の場合に、防鳥ネットや防水シートが脱出の邪魔になる場合は、切断したり取り外す手間も掛ける必要はなく、それらを捲り上げるだけで簡単に脱出することができる。
【発明を実施するための最良の形態】
【００３２】
本発明を図に示した実施例に基づき詳細に説明する。
【実施例】
【００３３】
図１は本発明に係る防鳥ネット具の設置状態を示す斜視説明図、
図２は防鳥ネット具の設置状態を示す平面視説明図、
図３は防鳥ネット具の設置状態を示す側面視説明図、
図４は支柱の正面視説明図を示し、あわせて防鳥ネットと防水シートの取付部構造を拡大して表した説明図、
図５は支柱の側面視説明図を示し、あわせて防鳥ネットと防水シートの取付部構造を拡大して表した説明図である。
【００３４】
図１を参照する。なお、図１では、防鳥ネット、防水シートの構成が分かりやすいように、これらを防鳥ネット具Ａの全体図とは別に表している。
防鳥ネット具Ａは、五本の支柱１、１、１ａ、１ａ、１ａ、三枚の防鳥ネット２、２ａ、２ａ、四枚の防水シート３、３、３ａ、３ａにより構成されている。なお、防鳥ネット具Ａをベランダ９に設置することにより防鳥ネット構造体が構成される。
【００３５】
なお、支柱、防鳥ネット、防水シートの各々の数は、例えば設置場所の広さや形状に合わせて適宜設定されるものであり、特に限定するものではなく、本実施の形態のようにそれぞれ複数で形成してもよいし、一枚ものを採用してもよい。また、防水シートについては、必ずしも開口部の全部を覆う必要はなく、必要な箇所だけを覆うように開口部の一部に配設してもよい。
【００３６】
まず、それぞれの構成部材の構造について説明する。
（支柱１、１ａ）
主に図４、図５を参照する。
二本の支柱１は、物干し竿４を掛ける折り畳み式の支持アーム１０を有しており、三本の支柱１ａは支持アーム１０を有していない。
支柱１は、台座１１を有している。台座１１は、断面ほぼコ字状に設けられ開放側を伏せた構造であり、両下部には接面部材となるゴム製のキャップ１１０が被せてある。台座１１の下部空間部は、ベランダ９の通水溝９０などに配されたときの通水部となる。
【００３７】
台座１１の上面側には支柱基体１２が固着してある。支柱基体１２は、一部が全高にわたり開口したほぼ四角筒状に形成されている。
また、支柱基体１２の両側部には、全高にわたり支持アーム１０を上下方向に案内する案内条１２０が設けられている。各案内条１２０の上端部には上部ストッパー１２１が固定されており、下部寄り（下端から約１／３の高さ）には、下部ストッパー１２２が固定されている。
【００３８】
支持アーム１０は、上記各案内条１２０間に渡し掛けるようにした移行体１００を有している。移行体１００は案内条１２０に沿って昇降移動可能である。
移行体１００には、アーム体１０１が取り付けてある。アーム体１０１の先部には、物干し竿４を掛ける掛け孔１０２が設けてある。１０３は、軽量化のための抜き孔であるが、物干し竿４やハンガーをここに掛けてもよい。
【００３９】
アーム体１０１は移行体１００に上下方向へスライド可能に取り付けてあり、アーム体１０１の基端部を移行体１００に合わせて位置させ、先端側を下方へ回動させることによって水平状態で停止させることができる。更に、アーム体１０１を水平状態で停止させることによって、移行体１００にその位置でブレーキがかかり、案内条１２０の所要位置で停止する仕組みになっている。
【００４０】
支柱基体１２の上部側には、調節支柱１３が支柱基体１２に内嵌めしてスライド可能に取り付けてある。調節支柱１３は、固定手段（図示省略）によって所要の位置で停止させることができる。調節支柱１３の先端部には、ナット１３０を回すことで進退調節が可能な調節体１３１が設けてある。また、調節体１３１の先端部には接面部材となるゴム製の当接体１３２が取り付けてある。
【００４１】
また、調節支柱１３の先端部の外方側（図５で右側）には、ほぼＬ字状の取着具１３３が取り付けてある。取着具１３３の水平部先端には、中央内側にフック１３４を設けたループ１３５が取り付けてある。フック１３４には防水シート３、３ａの掛け具３２が掛けられ、ループ１３５には防鳥ネット２、２ａの掛け具２２が掛けられる（これについては後述する）。
【００４２】
支柱１ａは、上記したように上記支柱１から支持アーム１０及び案内条１２０、上部ストッパー１２１、下部ストッパー１２２を除いた構造である。他の部分は支柱１と同様であるので、構造については重複する説明を省略する。また、図面においては支柱１と同一箇所に同一の符号を付して示している。
【００４３】
なお、支柱１、１ａの長さは、設置箇所であるベランダ９の床９１と天井９２の間隔よりやや長く設定できるようにつくられている。これにより、支柱１、１ａは床９１と天井９２の間で突っ張るようにして強固に固定することができる。
【００４４】
（防鳥ネット２、２ａ）
防鳥ネット２は一枚で、正面側の支柱１、１、１ａに取り付けられてベランダ９の開口部９３を覆うものであり、横長のほぼ長方形状にやや大きく形成してある。防鳥ネット２の両側端部には、三角形状の隙間ネット２９が設けてある。隙間ネット２９は、防鳥ネット２を手摺り９５を超えて垂らすときに両端部に生じる隙間を無理なく塞ぐことができるようにするものである。なお、隙間ネット２９は、例えば長方形のネットを変形させて隙間を塞ぐことも可能なので、必ずしも必要ではない。
【００４５】
また、防鳥ネット２ａは二枚であり、ベランダ９の両側に設けてある非常通路９４を覆うもので、縦長の長方形状にやや小さく形成してある。各防鳥ネット２、２ａの縦長は、上記支柱１、１ａの長さとほぼ同じになるよう設定されている。
なお、各防鳥ネット２、２ａの横長は、各支柱間の間隔とほぼ同じになるように設定されているが、支柱の位置より縁辺部がやや張り出すように形成して、支柱と壁部の隙間を覆うようにしてもよい。
【００４６】
防鳥ネット２、２ａは、ネット２０と、その周縁部に通された保形用または補強用のロープ２１により構成されている。ネット２０とロープ２１は透明な合成樹脂でつくられており、外部から見たときに目立たないようにしている。ネット２０の目の大きさは、鳥の侵入を防止できれば特に限定はしない。本実施の形態では、目の一辺の長さは約５ｃｍである。
【００４７】
防鳥ネット２、２ａの上辺部のロープ２１には、所要間隔（支柱１、１ａが設けてある間隔）で掛け具２２が取り付けてある。掛け具２２は、自身のループの開閉ができるようになっており、上記支柱１、１ａの先端に設けてあるループ１３５に掛けることができ、外す操作をしなければ簡単には外れない。なお、防鳥ネット２、２ａは支柱１、１ａに対しては上辺部と両側辺部（上記した隙間ネット２９の部分）が固定され、下辺部は固定されない。
【００４８】
（防水シート３、３ａ）
防水シート３は二枚で、正面側の支柱１、１、１ａに取り付けられて開口部９３を覆うものであり、長方形状にやや大きく形成してある。防水シート３は濃色で不透明かつ微細な多数の孔（図示省略）が設けられた合成樹脂製のシートである。防水シート３は、微細な多数の孔を有するが、本質的に防水性（または雨滴を遮断する機能）を有しており、かつ若干の通気性をも有するものである。防水シート３は、不透明であることで日除けとしての機能も有している。
【００４９】
また、防水シート３ａは二枚であり、ベランダ９の両側に設けてある非常通路９４を覆うもので、縦長の長方形状にやや小さく形成してある。なお、各防水シート３、３ａの縦長は、上記支柱１、１ａの長さとほぼ同じになるよう設定されている。
【００５０】
防水シート３、３ａの上辺部には、所要間隔（支柱１、１ａが設けてある間隔）で掛け具３２が取り付けてある。掛け具３２はループ状に形成されており、上記支柱１、１ａの先端に設けてあるフック１３４に掛けることができる。掛け具３２は、フック１３４から簡単に外すことができる。防水シート３、３ａは支柱１、１ａに対しては上辺部のみが固定され、側辺部と下辺部は固定されない。なお、防水シート３、３ａの側辺部と下辺部を固定できるようにしてもよい。
【００５１】
（作用）
図６防鳥ネット具を設置しているベランダで布団を干す方法を示す説明図である。
図１ないし図６を参照して防鳥ネット具Ａの設置の方法及び作用を説明する。
【００５２】
まず、ベランダ９において、図１に示す所定の箇所に支柱１、１ａを配し、固定しないで手摺り９５や側壁９６に立てかけておく。具体的には、開口部９３側の中央と左側端部には支柱１を配し、開口部９３側の右側端部と両側壁９６側の非常通路９４より内側には支柱１ａを配する。
【００５３】
開口部９３側の三本の支柱１、１、１ａ間に渡すように、各掛け具２２を各支柱１、１、１ａのループ１３５に掛けて防鳥ネット２を吊設する。更に、開口部９３側の両側の支柱１、１ａと両側壁９６側の支柱１ａとの間にも同様にして防鳥ネット２ａを吊設する。
【００５４】
また、同様に開口部９３側の三本の支柱１、１、１ａ間に渡すように、各掛け具３２を各支柱１、１、１ａのフック１３４に掛けて防水シート３、３を吊設する。更に、開口部９３側の両側の支柱１、１ａと両側壁９６側の支柱１ａとの間にも同様にして防水シート３ａ、３ａを吊設する。
【００５５】
これにより、各支柱１、１、１ａ、１ａ、１ａは各防鳥ネット２、２ａ、２ａ及び防水シート３、３、３ａ、３ａによって繋がれたようになる。なお、支持アーム１０を有する支柱１と有していない支柱１ａの組み合わせと配置は、例えばベランダなどの設置箇所の形状、位置、日照などの気候条件に合わせて適宜決められるものであり、限定するものではない。
【００５６】
各支柱１、１、１ａ、１ａ、１ａを上記各位置において床９１と天井９２の間で突っ張って固定する。開口部９３側の三本の支柱１、１、１ａの台座１１は床９１の通水溝９０に位置させる。開口部９３側の防鳥ネット２は手摺り９５を超えて外側に垂らすようにする。そして、防鳥ネット２両端側の隙間ネット２９の端部を紐などで支柱１、１ａに固定し、隙間が生じないようにする。
【００５７】
これにより、ベランダ９の開口部９３は防鳥ネット２で覆われ、更に非常通路９４も防鳥ネット２ａで覆われるので、カラスやハトなどの鳥はベランダ９内部へ侵入することができない。
防鳥ネット具Ａは、上記したように簡単な構成であり、設置や分解が比較的容易にでき、引っ越しの際の移設なども容易にできる。また、コストも安価にできる。
【００５８】
防鳥ネット２は、上辺部と側辺部（隙間ネット２９の部分）が所要間隔で支柱に固定されており、固定されていない下辺部と側辺部下側は自由に動かすことができるので、上記したように防鳥ネット２をベランダ９の手摺り９５の外側に垂らすことができる。これによると、鳥はベランダ９の内部側だけでなく、手摺り９５の上面などに糞をすることもできない。また、防鳥ネット２が固定されていないために風で揺れるので、鳥は止まりにくく、やがて近寄らないようになる。
【００５９】
なお、図６に示すように防鳥ネット２を外方へ逃がすようにして布団５を手摺り９５に掛けて干すことも可能である。この場合は、防水シート３を布団５と防鳥ネット２の間に入れるようにすれば、布団５に糞が付着する心配もなく、より好ましい。
【００６０】
また、各防鳥ネット２、２ａ、２ａの内側には各防水シート３、３、３ａ、３ａが設けてあり、雨が降っても降り込まないように止めることができるので、ベランダ９の内部が濡れることがなく、突然の雨で洗濯物を濡らしてしまう心配もない。
なお、作業時の安全が十分に確保できれば、各支柱１、１、１ａ、１ａ、１ａを所定の箇所に固定した後に防鳥ネット２、２ａ、２ａと防水シート３、３、３ａ、３ａを取り付けるようにしてもよい。
【００６１】
更に、支柱１、１には、物干し竿４を掛ける支持アーム１０が設けてあるので、例えば通常使用している物干しでは洗濯物を干す場所が足りないときに、支柱１、１の各支持アーム１０に物干し竿４を掛けてこれを利用して干すことができる。なお、各支持アーム１０の高さは、上記したように調節可能である。また、洗濯物が少ないときなどは、各支持アーム１０に掛けられた物干し竿４だけを使用して干すこともできる。
【００６２】
図７は支柱の他の例の側面視説明図を示し、あわせて防鳥ネットと防水シートの取付部構造を拡大して表した説明図である。なお、本実施の形態では、図７において上記支柱１と同等箇所には同一の符号を付して示し、また構造が異なるが同等機能を有する箇所に、同一符号に英字ｂを付した符号を示し、構造について支柱１と重複する説明は基本的に省略する。
【００６３】
支柱１ｂの支柱基体１２ｂは円管状であり、支柱基体１２ｂ上部に内嵌めされた調節支柱１３ｂも同様に円管状である。支柱１ｂは、調節支柱１３ｂを軸方向にスライドさせて所要位置で固定できる構造を有している。
支持アーム１０ｂの移行体１００ｂは支柱基体１２ｂに外嵌めされ、軸方向にスライドさせてアーム体１０１を水平にすることで、支柱基体１２ｂの上部ストッパー１２１ｂと下部ストッパー１２２ｂ間の所要位置で固定できる構造を有している。
【００６４】
調節支柱１３ｂの先端寄りの外方側（図７で右側）にはループ１３５ｂが設けられ、内方側にはフック１３４ｂが設けてある。ループ１３５ｂには防鳥ネット２、２ａの掛け具２２が掛けられ、フック１３４ｂには防水シート３、３ａが掛けられる。
また、フック１３４ｂと別のフック（図示省略）をループ１３５ｂの上部（防水シート３、３ａが防鳥ネット２、２ａの外側に位置する）または内側（防水シート３、３ａが防鳥ネット２、２ａの内側に位置する）に設けることもできる。
【００６５】
支柱１ｂは防鳥ネット２、２ａと防水シート３、３ａが支柱１ｂの内外方側に分けて取り付けられる以外は上記支柱１とほぼ同様の作用を有するので、作用についての説明は省略する。
【００６６】
本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６７】
【図１】本発明に係る防鳥ネット具の設置状態を示す斜視説明図。
【図２】防鳥ネット具の設置状態を示す平面視説明図。
【図３】防鳥ネット具の設置状態を示す側面視説明図。
【図４】支柱の正面視説明図を示し、あわせて防鳥ネットと防水シートの取付部構造を拡大して表した説明図。
【図５】支柱の側面視説明図を示し、あわせて防鳥ネットと防水シートの取付部構造を拡大して表した説明図。
【図６】防鳥ネット具を設置しているベランダで布団を干す方法を示す説明図。
【図７】支柱の他の例の側面視説明図を示し、あわせて防鳥ネットと防水シートの取付部構造を拡大して表した説明図。
【符号の説明】
【００６８】
Ａ  防鳥ネット具
１、１ａ  支柱
１０  支持アーム
１００  移行体
１０１  アーム体
１０２  掛け孔
１０３  抜き孔
１１ 台座
１１０  キャップ
１２  支柱基体
１２０  案内条
１２１  上部ストッパー
１２２  下部ストッパー
１３  調節支柱
１３０  ナット
１３１  調節体
１３２  当接体
１３３  取着具
１３４  フック
１３５  ループ
２、２ａ  防鳥ネット
２０  ネット
２１  ロープ
２２  掛け具
２９  隙間ネット
３、３ａ  防水シート
３２  掛け具
４  物干し竿
５  布団
９  ベランダ
９０  通水溝
９１  床
９２  天井
９３  開口部
９４  非常通路
９５  手摺り
９６  側壁
１ｂ  支柱
１０ｂ  支持アーム
１００ｂ  移行体
１２ｂ  支柱基体
１２１ｂ  上部ストッパー
１２２ｂ  下部ストッパー
１３ｂ  調節支柱
１３４ｂ  フック
１３５ｂ  ループ
【図１】
2007043904.tif 000003
【図２】
2007043904.tif 000004
【図３】
2007043904.tif 000005
【図４】
2007043904.tif 000006
【図５】
2007043904.tif 000007
【図６】
2007043904.tif 000008
【図７】
2007043904.tif 000009
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
鳥の侵入を防止するための防鳥ネット具であって、
伸縮調節可能であり、設置箇所に上下に突っ張って固定が可能な所要数の支柱(1,1a)と、
設置箇所の開口部を覆う防鳥ネット(2,2a)と、
該防鳥ネット(2,2a)の内側に配置されて設置箇所の開口部を覆う防水シート(3,3a)と、
を備えており、
上記防鳥ネット(2,2a)は、所要間隔で取り付けてあり防鳥ネット(2,2a)を吊設する掛け具(22)、鳥の侵入を防止できる網目の大きさを有するネット(20)、ネット(20)の周縁部に通された保形用または補強用のロープ(21)を備え、
上記防鳥ネット(2,2a)の内側に配置される上記防水シート(3,3a)は、上辺部に上記支柱(1,1a)に掛け防水シート(3,3a)を吊設する掛け具(32)が所要間隔で設けてあり、
上記防鳥ネット(2,2a)および防水シート(3,3a)は、支柱に設けたフックやループに防鳥ネット(2,2a)および防水シート(3,3a)の上部に設けた上記掛け具(22)、(32)を掛けるか、または支柱間(1,1a)にレールやワイヤを配して、それらに防鳥ネット(2,2a)および防水シート(3,3a)の上記掛け具(22)、(32)をスライド可能に掛けることによって取り付けられ、
取り付けられた上記防鳥ネット(2,2a)は、下部側が自由に動けて捲り上げられるよう構成されていることを特徴とする、
防鳥ネット具。
【請求項２】
建築物における外へ開放された部分(9)に上下に突っ張って所要数の支柱(1,1a)が固定してあり、
各支柱(1,1a)には上記開放された部分(9)を本質的に覆うように防鳥ネット(2,2a)が取り付けてあり、
各支柱(1,1a)には上記開放された部分(9)の全部または一部を覆うように防水シート(3,3a)が防鳥ネット(2,2a)の内側に配置されて取り付けてあり、
上記防鳥ネット(2,2a)は、所要間隔で取り付けてあり防鳥ネット(2,2a)を吊設する掛け具(22)、鳥の侵入を防止できる網目の大きさを有するネット(20)、ネット(20)の周縁部に通された保形用または補強用のロープ(21)を備え、
上記防水シート(3,3a)は、上辺部に上記支柱(1,1a)に掛け防水シート(3,3a)を吊設する掛け具(32)が所要間隔で設けてあり、
上記防鳥ネット(2,2a)および上記防鳥ネット(2,2a)の内側に配置される防水シート(3,3a)は、支柱に設けたフックやループに防鳥ネット(2,2a)および防水シート(3,3a)の上部に設けた上記掛け具(22)、(32)を掛けるか、または支柱間(1,1a)にレールやワイヤを配して、それらに防鳥ネット(2,2a)および防水シート(3,3a)の上記掛け具(22)、(32)をスライド可能に掛けることによって取り付けられ、
取り付けられた上記防鳥ネット(2,2a)は、下部側が自由に動けて捲り上げられるよう構成されていることを特徴とする、
防鳥ネット構造体。
【手続補正２】
【補正対象書類名】明細書
【補正対象項目名】０００９
【補正方法】変更
【補正の内容】
【０００９】
上記課題を解決するために本発明が講じた手段は次のとおりである。
本発明は、
鳥の侵入を防止するための防鳥ネット具であって、
伸縮調節可能であり、設置箇所に上下に突っ張って固定が可能な所要数の支柱と、
設置箇所の開口部を覆う防鳥ネットと、
該防鳥ネットの内側に配置されて設置箇所の開口部を覆う防水シートと、
を備えており、
上記防鳥ネットは、所要間隔で取り付けてあり防鳥ネットを吊設する掛け具、鳥の侵入を防止できる網目の大きさを有するネット、ネットの周縁部に通された保形用または補強用のロープを備え、
上記防鳥ネットの内側に配置される上記防水シートは、上辺部に上記支柱に掛け防水シートを吊設する掛け具が所要間隔で設けてあり、
上記防鳥ネットおよび防水シートは、支柱に設けたフックやループに防鳥ネットおよび防水シートの上部に設けた上記掛け具を掛けるか、または支柱間にレールやワイヤを配して、それらに防鳥ネットおよび防水シートの上記掛け具をスライド可能に掛けることによって取り付けられ、
取り付けられた上記防鳥ネットは、下部側が自由に動けて捲り上げられるよう構成されていることを特徴とする防鳥ネット具である。
【手続補正３】
【補正対象書類名】明細書
【補正対象項目名】００１０
【補正方法】変更
【補正の内容】
【００１０】
本発明は、
建築物における外へ開放された部分に上下に突っ張って所要数の支柱が固定してあり、
各支柱には上記開放された部分を本質的に覆うように防鳥ネットが取り付けてあり、
各支柱には上記開放された部分の全部または一部を覆うように防水シートが防鳥ネットの内側に配置されて取り付けてあり、
上記防鳥ネットは、所要間隔で取り付けてあり防鳥ネットを吊設する掛け具、鳥の侵入を防止できる網目の大きさを有するネット、ネットの周縁部に通された保形用または補強用のロープを備え、
上記防水シートは、上辺部に上記支柱に掛け防水シートを吊設する掛け具が所要間隔で設けてあり、
上記防鳥ネットおよび上記防鳥ネットの内側に配置される防水シートは、支柱に設けたフックやループに防鳥ネットおよび防水シートの上部に設けた上記掛け具を掛けるか、または支柱間にレールやワイヤを配して、それらに防鳥ネットおよび防水シートの上記掛け具をスライド可能に掛けることによって取り付けられ、
取り付けられた上記防鳥ネットは、下部側が自由に動けて捲り上げられるよう構成されていることを特徴とする防鳥ネット構造体である。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】